(57)【要約】【課題】フロートの収納が簡易であるとともに水に対する適度な抵抗を付与することができ、その内部に収納されたフロートの破損等を防止することができ、かつ、長期間海上において浮遊状態で繋留された場合であっても海洋生物等が付着し難く、環境に対する影響にも配慮のなされたフロート用カバーを提供する。【解決手段】水に浮遊可能なフロート２に用いられるフロート用カバー３である。柔軟性を有する合成樹脂からなるとともに、その内部にフロート２を固定的に、又は相対的に回転可能に収納し得る籠状構造又は網状の巾着構造を有する。【選択図】　図１
2004113105.tif 000002
【特許請求の範囲】
【請求項１】
水に浮遊可能なフロートに用いられるフロート用カバーであって、
柔軟性を有する合成樹脂からなるとともに、その内部に前記フロートを固定的に、又は相対的に回転可能に収納し得る籠状構造又は網状の巾着構造を有することを特徴とするフロート用カバー。
【請求項２】
前記フロートを相対的に回転可能に収納した状態で前記フロートが前記フロート用カバーと相対的に回転したときに、前記籠状構造又は前記網状の巾着構造の内面が、前記フロートの外面と当接及び／又は摺接可能である請求項１に記載のフロート用カバー。
【請求項３】
前記籠状構造が二以上の構成部分に分割可能である請求項１又は２に記載のフロート用カバー。
【請求項４】
前記合成樹脂が、ＡＢＳ樹脂、ポリエチレン樹脂、ポリウレタン樹脂、ナイロン樹脂、及びポリプロピレン樹脂からなる群より選択される少なくとも一種である請求項１〜３のいずれか一項に記載のフロート用カバー。
【請求項５】
銅製のかしめ部材を具備してなる請求項１〜４のいずれか一項に記載のフロート用カバー。
【請求項６】
前記フロート用カバーの回転を補助するフィンを有する請求項１〜５のいずれか一項に記載のフロート用カバー。
【請求項７】
請求項１〜６のいずれか一項に記載のフロート用カバーの内部に、前記フロートを固定的に又は相対的に回転可能に収納してなることを特徴とするフロート組立体。
【請求項８】
前記フロート及び／又は前記フロート用カバーが、少なくとも一の回転軸を有する形状である請求項７に記載のフロート組立体。
【請求項９】
前記フロートの材質が、第２の合成樹脂である請求項７又は８に記載のフロート組立体。
【請求項１０】
前記第２の合成樹脂が、ＡＢＳ樹脂、ポリエチレン樹脂、発泡スチロール樹脂、及びポリプロピレン樹脂からなる群より選択される少なくとも一種である請求項９に記載のフロート組立体。
【請求項１１】
前記フロートが、銅製のかしめ部材を具備してなる請求項７〜１０のいずれか一項に記載のフロート組立体。
【発明の詳細な説明】
【０００１】
【発明の属する技術分野】本発明は、主として漁業・養殖用の網等を海中に配置するためのフロートを包むフロート用カバー、及びこのフロート用カバーを用いた、フロート組立体に関する。
【０００２】
【従来の技術】従来、養殖用の網、ロープ、筏、又は定置網等の漁業用設備を海上又は海中に配置するために、ＡＢＳ樹脂、ポリエチレン樹脂、発泡スチロール樹脂等の合成樹脂、又は金属等の材質によって作製されたフロートが用いられている。
【０００３】この種のフロートは、長期間海上において浮遊状態で繋留されるため、その水没部分の表面にフジツボ、ムラサキガイ、カキ、ホヤ等の海洋生物や、海藻類が付着し易い。これら海洋生物等の付着量が増加するとフロートの浮力は次第に低下するため、フロートに取り付けられる養殖用の網や定置網等が沈降してしまうという問題がある。
【０００４】例えば、養殖用の網が海底又はその付近まで沈降してしまうと、養殖品（例えば貝類）がヒトデ等の海洋生物による被害を受ける場合もある。また、フジツボや貝類等の外殻の硬い生物がフロートに大量に付着すると、これらが定置網等に接触した箇所で網の破れ等が生ずる場合もある。このような網の破れは拡散し易いため、少数箇所の破れであっても甚大な被害が生ずる場合もある。このような被害を防止するために、一般的には、付着した海洋生物等の定期的な除去、新たなフロートの追加等の対策が講じられていた。
【０００５】付着した海洋生物等をフロートから除去する除去作業は、例えば、フロートが海上に浮遊した状態で、又はこれを船上若しくは陸上に引き上げた状態で、適当な掻取具等を用いた手作業、又は適当な掻取装置等を用いた機械作業で掻き取ることにより行うことが一般的である（例えば、特許文献１参照）。
【０００６】また、前述のフロートは、例えばマグロ延縄漁等に用いられる延縄を海中に配置するに際しても用いられる。この延縄は、これを構成する幹縄の全長が１００ｋｍ以上の長さを有する場合もあり、このような漁に用いられる延縄に取り付けられるフロートの個数は数百個以上にも及ぶ。
【０００７】ここで、前述の海洋生物等をフロートから除去する除去作業に関していえば、海上に浮遊するフロートは固定されていないために、この除去作業を行うことは極めて困難である。特に、寒冷地において、又は冬期にこのような除去作業を行うことは重労働である。
【０００８】また、安定した状態でフロートから付着した海洋生物を掻き取るため、フロートを船上又は地上に引き上げて作業を行う場合であっても、引き上げ作業や除去作業は作業者に多大な労力を強いることにかわりはなく、また多大な時間を要することとなって作業効率上の問題を有している。
【０００９】一方、除去作業の労力を軽減する手段として、予め防藻、防カビ、又は防汚剤等の薬剤をフロートの表面、又はフロートを被覆するカバー等に塗り込んでおくことが実際に行われている（例えば、特許文献２参照）。しかし、これらの薬剤は短期間（例えば３ヶ月程度）でその効力を失う場合が多く、効力を失って以降は海洋生物が付着してしまうといった問題がある。更に、これらの薬剤は人畜に対して少なからず影響を及ぼす場合もあり、更に環境に対する影響等をも考慮すれば、可能な限り使用しないことが好ましい。
【００１０】結局のところ、フロートを管理、保全するためには、手作業等により付着した海洋生物を除去する除去作業等に頼らざるを得ないのが現状である。従って、時間と労力とを費やすことなくフロートの管理、保全を行うことができる手段、方法が産業界から要請されている。
【００１１】また、前述のマグロ延縄漁等に用いられる延縄を海中に配置するに際して用いられるフロートに関していえば、延縄を巻き上げる際や、漁船等により曳航等する際に、フロートが海中深くに潜り込む現象が発生し得る。海中深くに潜り込んだフロートは、突然浮上した場合には、フロートの大きさや質量等によっては危険性を伴うこともあり得る。このような現象は、水に対するフロートの抵抗が小さいために発生し得るものと考えられており、これを回避するためにはフロートをロープ等により包み込み、水に対する適度な抵抗を付与して使用することが一般的である。なお、このロープ等は、延縄を構成するロープ等と同一のもの、又はこれを流用することが一般的であった。
【００１２】しかし、フロートをロープ等により包み込むに際しては、技術的な困難性を伴う場合もある。更に、全長１００ｋｍ以上の長さの幹縄に取り付けられるフロートの個数は相当数にも及ぶため、労力軽減の必要性もある。また、近年の技術の発達に従い、延縄を構成するロープ等は、軽量化、強度付与等の観点から、より径が小さく強靭な樹脂製のテグス等に代替されるようになりつつある。従って、水に対する適度な抵抗をフロートに付与するために好適であったロープ等の供給が減少する傾向にあるといった問題もある。
【００１３】
【特許文献１】
特開平１１−３４２３７６号公報
【特許文献２】
特開平１１−８９４７５号公報
【００１４】
【発明が解決しようとする課題】本発明は、このような従来技術の有する問題点に鑑みてなされたものであり、その目的とするところは、フロートの収納が簡易であるとともに水に対する適度な抵抗を付与することができ、その内部に収納されたフロートの破損等を防止することができ、かつ、長期間海上において浮遊状態で繋留された場合であっても海洋生物等が付着し難く、環境に対する影響にも配慮のなされたフロート用カバー、及び、このフロート用カバーを用いた、水に対する適度な抵抗性を有するとともに、内部に収納されたフロートの破損等し難く、長期間海上において浮遊状態で繋留された場合であっても海洋生物等が付着し難く、環境に対する影響にも配慮のなされたフロート組立体を提供することにある。
【００１５】
【課題を解決するための手段】即ち、本発明によれば、水に浮遊可能なフロートに用いられるフロート用カバーであって、柔軟性を有する合成樹脂からなるとともに、その内部に前記フロートを固定的に、又は相対的に回転可能に収納し得る籠状構造又は網状の巾着構造を有することを特徴とするフロート用カバーが提供される。本発明においては、フロートを相対的に回転可能に収納した状態でフロートがフロート用カバーと相対的に回転したときに、籠状構造又は網状の巾着構造の内面が、フロートの外面と当接及び／又は摺接可能であることが好ましい。
【００１６】本発明においては、籠状構造が二以上の構成部分に分割可能であることが好ましく、合成樹脂が、ＡＢＳ樹脂、ポリエチレン樹脂、ポリウレタン樹脂、ナイロン樹脂、及びポリプロピレン樹脂からなる群より選択される少なくとも一種であることが好ましい。また、銅製のかしめ部材を具備してなることが好ましく、フロート用カバーの回転を補助するフィンを有することが好ましい。
【００１７】また、本発明によれば、前述のいずれかのフロート用カバーの内部に、前記フロートを固定的に又は相対的に回転可能に収納してなることを特徴とするフロート組立体が提供される。
【００１８】本発明においては、フロート及び／又はフロート用カバーが、少なくとも一の回転軸を有する形状であることが好ましい。
【００１９】本発明においては、フロートの材質が、第２の合成樹脂であることが好ましく、第２の合成樹脂が、ＡＢＳ樹脂、ポリエチレン樹脂、発泡スチロール樹脂、及びポリプロピレン樹脂からなる群より選択される少なくとも一種であることが好ましい。本発明においては、フロートが、銅製のかしめ部材を具備してなることが好ましい。
【００２０】
【発明の実施の形態】以下、本発明の実施の形態について説明するが、本発明は以下の実施の形態に限定されるものではなく、本発明の趣旨を逸脱しない範囲で、当業者の通常の知識に基づいて、適宜、設計の変更、改良等が加えられることが理解されるべきである。
【００２１】本発明は、水に浮遊可能なフロートに用いられるフロート用カバーであり、柔軟性を有する合成樹脂からなるとともに、その内部にフロートを固定的に、又は相対的に回転可能に収納し得る籠状構造又は網状の巾着構造を有することを特徴とするものである。以下、図１に示すフロート用カバー及びフロート組立体を例に挙げ、本発明の実施の形態について具体的に説明する。
【００２２】図１は、本発明のフロート用カバー及びフロート組立体の一実施形態を示す正面図である。本実施の形態であるフロート用カバー３は籠状構造を有しており、その内部に、主として漁業用の網等を海中に配置するために用いられるフロート２を固定的に、又は相対的に回転可能に収納し得る構造を有し、フロート組立体１を構成している。フロート２は、フロート組立体１に対してフロート組立体１の全体が水に浮遊するための浮力を与えるための部材であって、例えば中空のもの、又は中実であっても水に浮遊可能な材質からなるもの等がある。また、フロート用カバー３は、柔軟性を有する合成樹脂からなるものである。従って、所望の形状に成形することが容易であるといった製造上の利点があるとともに、船体等に接触した場合であってもその内部に収納されたフロート２が破損し難く、網等を海中に配置するフロートとしての役割を長期間に渡って継続的に発揮するといった効果を奏する。
【００２３】更に、フロート用カバー３は、テグス等に比して嵩高く、この内部に収納されるフロート２に、水に対する適度な抵抗を付与することができる。従って、延縄を巻き上げる際や、漁船等により曳航等する際に、フロート２（フロート組立体１）が海中深くに潜り込む現象が起こり難いといった効果を奏する。
【００２４】図２は、本発明のフロート用カバー及びフロート組立体の他の実施形態を示す正面図である。図２においては、フロート用カバーを、図１において示すような籠状構造ではなく、網状の巾着構造とした場合を示している。具体的には、図３及び図４に示すような所定の箇所に複数の穴部１１が設けられた網目状部材１０を用意し、穴部１１に適当な形状の紐状部材１２を通して編み上げることにより、図２において示すような網状の巾着構造とすることができる。なお、図２に示すフロート用カバー３は、図３に示す網目状部材１０を紐状部材１２によって編み上げたものである。フロート用カバー３をこのように構成すると、紐状部材１２の長さや、絞め付け具合を調整することによりフロートを収納する内部スペースの容量を調整することができる。従って、種々の大きさ、形状のフロートと組み合わせて構成することができるとともに、フロートを、フロート用カバーと相対的に回転可能に収納するか、又は容易に回転しないように固定的に収納するか、任意に設定することができる。
【００２５】本発明のフロート用カバーは、籠状構造又は網状の巾着構造であるため、フロートを、ロープ等を用いて包み込む従来の方法に比して簡易に用いることができ、特に、フロートの個数が相当数にも及ぶ場合には労力の軽減を図ることができる。また、図１、２に示すように、本実施の形態のフロート用カバー３は、フロート２を、波力等によってフロート用カバーと相対的に自由回転ができる状態で収納することができる。このような構成を有するフロート組立体１を、例えば海上に浮遊させると、前述のようにフロート２は波力の影響によって、フロート用カバー３の内部においてフロート用カバーと相対的に絶えず回転し、かつ、フロートの外面４とフロート用カバーの内面５とが当接及び／又は摺接することとなる。このため、海洋生物や海藻類等がフロート２に付着した場合であっても、フロート組立体１全体の浮力を奪う程に成長する以前に、これらは摺れ落ちることとなる。
【００２６】従って、本発明のフロート用カバーは、この内部にフロートを相対的に回転可能に収納してフロート組立体を作製したとき、作製したフロート組立体を長期間海上において浮遊状態で繋留した場合であっても、海洋生物等が付着し難いといった効果を奏するものであり、付着した海洋生物を除去する除去作業に費やす労力の軽減を図ることができる。また、本発明のフロート用カバーを用いたフロート組立体は、波力、潮力、海流等の自然の物理的な力を利用して、海洋生物等の付着を防止するものであるため、防藻、防カビ、又は防汚剤等の薬剤を使用する場合に比して環境に対する配慮がなされており、自然に対する悪影響もない。更に、本発明においては、フロート用カバーに、この回転を補助するためのフィンを設けることが好ましい。即ち、波力等を受け易く、また、受けた波力等を浮遊部材の回転に充当する形状のフィンをフロート用カバーに設けることにより、より海洋生物等が付着し難いといった効果を奏する。
【００２７】本発明においては、フロート用カバーが、二以上の構成部分に分割可能であることが好ましい。即ち、図１に示すようにフロート用カバー３を上下二つに分割可能な構成とすることにより、フロート用カバー３内部にフロート２を収納し易く、より簡便に作製することができるといった利点を有する。なお、上下二分割されるフロート用カバー３の各構成部分はボルト６等によって固定すればよいが、このようなボルト６による固定手段以外にも、紐状の部材等による締結、各構成部分どうしの当接箇所に凹凸等の嵌合部を設けて行う固定等を採用してもよく、更には、超音波溶着等の手段を採用することもできる。即ち、使用中に容易に分離し難い固定手段で固定すればよい。また、フロート用カバー３の形状は、図１に示すような球状に限定されるものではなく、楕円球状、又は円柱状等の形状であってもよい。更に、フロート用カバー３には網、ロープ等を取り付けるための取り付け箇所を適宜配設してもよい。
【００２８】本発明においては、フロート用カバーを構成する柔軟性を有する合成樹脂が、ＡＢＳ樹脂、ポリエチレン樹脂、ポリウレタン樹脂、ナイロン樹脂、及びポリプロピレン樹脂からなる群より選択される少なくとも一種であることが好ましい。これらの合成樹脂は適度な柔軟性を有するため、これらの合成樹脂からなるフロート用カバーを用いて作製されたフロート組立体が船体等に接触した場合であっても、収納されているフロートが破損等し難くなるといった効果を奏する。また、これらの合成樹脂は入手容易・安価であるとともに、形状加工が容易であり、かつ、適度な耐久性を有するために好ましい。
【００２９】次に、本発明の他の側面であるフロート組立体について説明する。本発明の他の側面であるフロート組立体は、これまで述べてきたいずれかのフロート用カバーの内部に、前記フロートを固定的に又は相対的に回転可能に収納してなることを特徴とするものである。以下、その詳細について説明する。
【００３０】図１に示すように、本実施の形態であるフロート組立体１は、籠状構造を有するフロート用カバー３の内部に、主として漁業用の網等を海中に配置するために用いられるフロート２が、固定的に又は相対的に回転可能に収納されることにより構成されている。フロート２は、水に浮遊可能な材質からなるものであり、フロート組立体１に対して、フロート組立体１の全体が水に浮遊するための浮力を与えるための部材である。また、フロート用カバー３は、柔軟性を有する合成樹脂からなるものである。従って、フロート組立体１は、船体等に接触した場合であってもその内部に収納されたフロート２が破損し難く、網等を海中に配置するために用いられるフロートとしての役割を長期間に渡って継続的に発揮するといった効果を奏する。
【００３１】更に、フロート２を覆うフロート用カバー３は、テグス等に比して嵩高く、内部に収納したフロート２に、水に対する適度な抵抗を付与するものである。従って、延縄を巻き上げる際や、漁船等により曳航等する際に、フロート組立体１自体が海中深くに潜り込む現象が起こり難いといった効果を奏する。
【００３２】また、図２においては、網状の巾着構造を有するフロート用カバー３の内部にフロート２を収納した状態を示している。なお、このフロート用カバー３は、図３に示す網目状部材１０を紐状部材１２によって編み上げたものである。このフロート用カバー３は、紐状部材１２の長さや、絞め付け具合を調整することにより、フロートを収納する内部スペースの容量を調整することが可能であるため、種々の大きさ、形状のフロートと組み合わせて、本実施の形態であるフロート組立体１を構成することができる。また、フロートを、フロート用カバーと相対的に回転可能に収納するか、又は容易に回転しないように固定的に収納するか、任意に設定することができる。
【００３３】本発明のフロート組立体は、籠状構造又は網状の巾着構造を有するフロート用カバーの内部にフロートが収納されてなるものであるため、フロートを、ロープ等を用いて包み込む場合に比して簡易に作製することができ、特に、フロートの個数が相当数にも及ぶ場合には労力の軽減を図ることができる。また、図１、２に示すように、本実施の形態のフロート組立体１は、フロート２とフロート用カバー３の大小関係の選択や、紐状部材１２の絞め付け具合により、フロート２を、波力等によってフロート用カバーと相対的に自由回転ができる状態で収納することができる。フロート２がフロート用カバーと相対的に自由回転可能な状態で収納された構成を有するフロート組立体１を、例えば海上に浮遊させると、前述のようにフロート２は波力の影響によって、フロート用カバー３の内部においてフロート用カバーと相対的に絶えず回転し、かつ、フロートの外面４とフロート用カバーの内面５とが当接及び／又は摺接することとなる。このため、海洋生物や海藻類等がフロート２に付着した場合であっても、フロート組立体１全体の浮力を奪う程に成長する以前に、これらは摺れ落ちることとなる。
【００３４】従って、本発明のフロート組立体は、長期間海上において浮遊状態で繋留した場合であっても、海洋生物等が付着し難いといった効果を奏するものであり、付着した海洋生物を除去する除去作業に費やす労力の軽減を図ることができる。また、本発明のフロート組立体は、波力、潮力、海流等の自然の物理的な力を利用して、海洋生物等の付着を防止するものであるため、防藻、防カビ、又は防汚剤等の薬剤を使用する場合に比して環境に対する配慮がなされており、自然に対する悪影響もない。
【００３５】なお、フロート及び／又はフロート用カバーは、少なくとも一の回転軸を有する形状であることが、より波力等の影響を受けて相対的に回転し易いために好ましい。具体的には球状、楕円球状、又は円柱状等の形状を挙げることができる。
【００３６】本発明においては、市販されている種々の合成樹脂からなるフロートを用いることができる。本発明のフロート組立体を構成するフロートの材質は、一般的な合成樹脂（第２の合成樹脂）であればよく、この第２の合成樹脂はＡＢＳ樹脂、ポリエチレン樹脂、発泡スチロール樹脂、及びポリプロピレン樹脂からなる群より選択される少なくとも一種であることが好ましい。特に、耐圧性・耐寒性の面からはＡＢＳ樹脂が、耐候性の面からはポリエチレン樹脂が好ましい。
【００３７】本発明においては、フロートやフロート用カバーが、銅製のかしめ部材を具備することが好ましい。銅は、海洋生物の忌避作用を示す金属であるために、銅製のかしめ部材を具備することにより、より海洋生物等が付着し難いといった効果を奏する。また、「かしめ」て取り付ける構造を採用することにより、所定の箇所に容易に着脱可能であるといった利点を有する。なお、かしめ部材の形状、大きさ、数量等は、これが取り付けられるフロートやフロート用カバーの形状、大きさ等、及び銅の示す忌避効果を勘案して適宜決定すればよい。
【００３８】図６は、本発明のフロート用カバー及びフロート組立体の更に他の実施形態を示す図面であり、図６（ａ）はフロート用カバーの正面図、図６（ｂ）はフロート組立体の正面図である。図６（ａ）及び図６（ｂ）に示すフロート用カバー３及びフロート組立体１の構成は、図１に示したものと同様であるが、図５に示す、一般的に用いられるフロート２をその内部に収納した状態を示している。フロート用カバー３は、上下二分割可能な構造を有しており、その内部にフロート２を収納した後に固定されることにより合わせ部１４を形成して、フロート組立体１が構成される。上下二分割されるフロート用カバー３の各構成部分を固定するに際しては、図１に示すようなボルト６等を使用してもよいが、前述の如く、使用中に容易に分離し難い固定手段、例えば、クリップ状の固定手段等を使用してもよく、これにより、より簡便にフロート組立体１を構成することができる。なお、符号１３はフロート穴部であり、フロート２にロープ等を繋ぐための構造である。
【００３９】図７は、本発明のフロート用カバー及びフロート組立体の更に他の実施形態を示す図面であり、図７（ａ）はフロート用カバーの正面図、図７（ｂ）はフロート組立体の正面図である。フロート用カバー３は左右二分割可能な構造を有しており、その内部にフロート２を収納した後に固定されることにより合わせ部１４を形成して、フロート組立体１が構成される。左右二分割されるフロート用カバー３の各構成部分の固定手段については、既に述べた通りである。
【００４０】本発明のフロート組立体は、長期間海上において浮遊状態で繋留された場合であっても海洋生物等が付着し難く、また環境汚染の心配もない。このような特性を生かし、漁業・養殖用の網、又は延縄漁に用いられる延縄等の漁業用設備を海上又は海中に配置するためのフロートとして好適に用いることができる。
【００４１】
【発明の効果】以上説明したように、本発明のフロート用カバーは、柔軟性を有する合成樹脂からなるとともに、その内部にフロートを固定的に、又は相対的に回転可能に収納し得る籠状構造又は網状の巾着構造を有するものであるため、フロートの収納が簡易であるとともに水に対する適度な抵抗を付与することができ、その内部に収納されたフロートの破損等を防止することができ、かつ、長期間海上において浮遊状態で繋留された場合であっても海洋生物等が付着し難く、環境に対する影響にも配慮がなされている。
【００４２】また、本発明のフロート組立体は、前述のフロート用カバーの内部にフロートを固定的に又は相対的に回転可能に収納してなるものであるため、水に対する適度な抵抗性を有するとともに、内部に収納されたフロートの破損等し難く、長期間海上において浮遊状態で繋留された場合であっても海洋生物等が付着し難く、環境に対する影響にも配慮がなされている。
【図面の簡単な説明】
【図１】本発明のフロート用カバー及びフロート組立体の一実施形態を示す正面図である。
【図２】本発明のフロート用カバー及びフロート組立体の他の実施形態を示す正面図である。
【図３】本発明のフロート用カバーを構成する網目状部材の一例を示す正面図である。
【図４】本発明のフロート用カバーを構成する網目状部材の他の例を示す正面図である。
【図５】フロートの一例を示す正面図である。
【図６】本発明のフロート用カバー及びフロート組立体の更に他の実施形態を示す図面であり、図６（ａ）はフロート用カバーの正面図、図６（ｂ）はフロート組立体の正面図である。
【図７】本発明のフロート用カバー及びフロート組立体の更に他の実施形態を示す図面であり、図７（ａ）はフロート用カバーの正面図、図７（ｂ）はフロート組立体の正面図である。
【符号の説明】
１…フロート組立体、２…フロート、３…フロート用カバー、４…フロートの外面、５…フロート用カバーの内面、６…ボルト、１０…網目状部材、１１…穴部、１２…紐状部材、１３…フロート穴部、１４…合わせ部。
【図１】
2004113105.tif 000003
【図２】
2004113105.tif 000004
【図３】
2004113105.tif 000005
【図４】
2004113105.tif 000006
【図５】
2004113105.tif 000007
【図６】
2004113105.tif 000008
【図７】
2004113105.tif 000009